(57)【要約】【課題】複数の特殊景品の読取処理を迅速に行いつつ、不正等による異常景品を容易かつ確実に発見する。【解決手段】重ね合わせ可能な外形を有し、読取装置本体２０で読取可能な識別情報を格納し、記憶手段に記憶された識別情報を無線送信する送信手段を有する特殊景品１０と、特殊景品１０の読取処理を行う読取装置本体２０を備え、読取装置本体２０は、複数の特殊景品１０が重ね合わされた状態で搭載され、各景品から送信される識別情報を無線受信する景品搭載部２４ａと、景品搭載部２４ａに搭載された複数の特殊景品の重量を測定する秤量部２４ｂを備え、識別情報から生成される景品数と重量から生成された景品数データとを比較し、両データが一致しない場合には、表示部２６にエラー表示をするとともに、スピーカ２７を介してアラーム音を発するようになっている。【選択図】      図１ａ
2005006911.tif 000002
【特許請求の範囲】
【請求項１】
特殊景品と、特殊景品を読取処理する読取装置本体とを備え、
特殊景品は、
重ね合わせ可能な外形を有し、読取装置本体で読取可能な所定の識別情報を格納する記憶手段と、記憶手段に記憶された識別情報を無線送信する送信手段と、を備え、
読取装置本体は、
特殊景品を一又は二以上重ね合わせて搭載可能な景品搭載手段と、景品搭載手段に搭載された一又は二以上の特殊景品からの各識別情報を無線受信する受信手段と、受信された識別情報から景品数データを生成する識別情報景品数データ生成手段と、景品搭載手段に搭載された一又は二以上の特殊景品の物理量を測定する物理量測定手段と、物理量測定手段で測定された物理量から景品数データを生成する物理量景品数データ生成手段と、識別情報及び物理量から生成された景品数データを比較して、その一致不一致を検出する景品数データ比較手段と、を備える
ことを特徴とする特殊景品読取装置。
【請求項２】
読取装置本体の物理量測定手段が、景品搭載手段に搭載された特殊景品の重量を測定する秤量手段からなる請求項１記載の特殊景品読み取り装置。
【請求項３】
読取装置本体の物理量測定手段が、景品搭載手段に搭載された特殊景品の高さを測定する高さ測定手段からなる請求項１又は２記載の特殊景品読み取り装置。
【請求項４】
読取装置本体の物理量測定手段が、景品搭載手段に搭載された特殊景品の画像データを取得する画像取得手段と、取得された画像データを解析して特殊景品の高さを演算する高さ演算手段からなる請求項１，２又は３記載の特殊景品読み取り装置。
【請求項５】
読取装置本体が、特殊景品から受信した識別情報を照合し、所定の照合結果情報を生成する照合手段と、照合手段の照合結果情報を該当する特殊景品に無線送信する送信手段と、を備え、
特殊景品が、読取装置本体から送信される照合結果情報を無線受信する受信手段と、受信手段が照合結果情報を受信すると発光する発光手段と、を備えた請求項１，２，３又は４記載の特殊景品読取装置。
【発明の詳細な説明】
【０００１】
【発明の属する技術分野】
本発明は、パチンコ機やスロットマシン（パチスロ機）に代表される遊技機の遊技媒体と引換に提供される特殊景品を換金処理等するための特殊景品読取装置に関する。
特に、本発明は、複数の特殊景品を重ね合わせた状態で計数処理が自動的に行え、かつ、特殊景品に異常等がある場合には直ちに検出でき、しかも、複数の景品が重ねられた状態のままで、正常な景品と異常景品とを一度に判別することができる特殊景品読取装置に関する。
【０００２】
【従来の技術】
一般に、パチンコ機やパチスロ機（スロットマシン）等の遊技機で行われる遊技において、遊技の結果払い出されるパチンコ玉やパチスロメダル等の遊技媒体は、遊技ホールの受付カウンタで計数処理され、遊技媒体数に相当する特殊景品に交換されて遊技者に提供される。
そして、特殊景品を受け取った遊技者は、その特殊景品を遊技ホールとは別の特殊景品交換所に提示することにより、所定の換金レートに基づいて換金し、現金化できるようになっている。
【０００３】
これまで、この種の特殊景品の換金処理や景品回収処理は、特殊景品交換所の従業者等により全て手作業で行われていた。
しかし、人手による手作業では、迅速な処理が困難で、景品の種類や数，換金額等に誤りが生じることもあり、無用のトラブルの原因となるおそれがあった。
また、特殊景品は、現金に交換されるという性質上、偽造，変造等の対象となり易く、交換所の従業者等の人手による交換，換金作業では、偽造等された特殊景品を判別できないという問題も生じていた。
【０００４】
そこで、最近は、所定の識別情報を示すバーコードや所定情報を記憶したＩＣチップ等を特殊景品に備え、バーコードやＩＣチップの電子情報を読取装置で読み取ることにより自動的に換金処理が行える特殊景品読取装置に関する技術が提案されている（例えば、特許文献１−４参照。）。
このような特殊景品読取装置によれば、特殊景品の種類や金額等の情報が電子情報として読み取られて処理されるようになり、人手による手作業の場合と比較して誤りのない換金処理が可能となり、特殊景品の偽造等も容易に発見できるようになった。
【０００５】
【特許文献１】
特開平８−２５７２１９号公報（第４−６頁、第１図）
【特許文献２】
特開平８−３３６６５８号公報（第３−４頁、第１図）
【特許文献３】
特開平１０−１２４６３１号公報（第３−５頁、第１図）
【特許文献４】
特開平１０−２５６９６０号公報（第２−３頁、第１図）
【０００６】
【発明が解決しようとする課題】
しかしながら、このような従来提案されている特殊景品読取装置では、バーコードやＩＣチップを備えた特殊景品は、景品１個ずつ（１枚ずつ）読み取られるようになっており、景品情報の読取作業に時間がかかり、迅速な換金処理が行えないという問題があった。
特殊景品の交換では、一度に数十枚の景品が持ち込まれることもあり、景品１個ずつ、１枚ずつ読取作業を行う必要のある読取装置では、換金処理に長時間を要し、効率的な業務が困難となり、顧客も長時間待たされることになった。
また、このように特殊景品１個ずつ読取処理にかける従来の読取装置では、特殊景品を多数積み重ねた状態でソータと呼ばれる大型の分離装置にセットして、読取部に搬送するようになっていた。このため、ソータ部分の構造が大型化，複雑化し、読取装置の小型軽量化，低コスト化等が図れず、また、故障等が生じやすく信頼性に欠けるという問題もあった。
【０００７】
本発明は、以上のような従来の技術が有する問題を解決するために提案されたものであり、複数の特殊景品を重ね合わせた状態で搭載部に置くだけで、各特殊景品の識別情報を読み取り、特殊景品に異常等がある場合には直ちに検出して警報等を発することができ、さらに、複数の景品が重ねられた状態のままで、正常な景品と異常景品とを一度で判別することが可能となり、複数の特殊景品の読取処理を迅速に行いつつ、不正等による異常景品を容易かつ確実に発見，特定することができる特殊景品及び特殊景品読取装置の提供を目的とする。
【０００８】
【課題を解決するための手段】
上記目的を達成するため、本発明の特殊景品は、請求項１に記載するように、特殊景品と、特殊景品を読取処理する読取装置本体とを備え、特殊景品は、重ね合わせ可能な外形を有し、読取装置本体で読取可能な所定の識別情報を格納する記憶手段と、記憶手段に記憶された識別情報を無線送信する送信手段と、を備え、読取装置本体は、特殊景品を一又は二以上重ね合わせて搭載可能な景品搭載手段と、景品搭載手段に搭載された一又は二以上の特殊景品からの各識別情報を無線受信する受信手段と、受信された識別情報から景品数データを生成する識別情報景品数データ生成手段と、景品搭載手段に搭載された一又は二以上の特殊景品の物理量を測定する物理量測定手段と、物理量測定手段で測定された物理量から景品数データを生成する物理量景品数データ生成手段と、識別情報及び物理量から生成された景品数データを比較して、その一致不一致を検出する景品数データ比較手段と、を備える構成としてある。
【０００９】
このような構成からなる本発明の特殊景品読取装置によれば、特殊景品が所定の識別情報を記憶，格納することにより、この識別情報を読取装置本体側で無線受信して読み取ることができる。
これにより、複数の特殊景品を読取装置本体に同時に搭載しても、識別情報によって一度に読取，集計処理が行えるようになる。
【００１０】
また、読取装置本体に搭載された特殊景品は、物理量測定手段で物理量（例えば、重量や厚み，形状等）が計測されることにより、この物理量から、読取装置本体に実際に搭載された特殊景品の数を算出することができる。
そして、特殊景品の識別情報に基づいて読み取られた景品数と、測定された物理量から算出された景品数を比較，照合することにより、偽造や故障等により識別情報を読み取ることができない異常景品が含まれている場合には、直ちにこれを検出することができる。
【００１１】
このようにして、本発明の特殊景品読取装置によれば、任意の数の特殊景品を重ね合わせた状態で搭載するだけで、複数の特殊景品を一度に読取処理することができ、かつ、偽造等の異常景品が含まれている場合には直ちに検出して警報等を発することができる。
これにより、迅速な計数・読取処理，換金処理と、偽造景品等の確実な判別，発見との両立が可能となる、従来には存在しない、優れた特殊景品読取装置を提供することができる。
【００１２】
そして、具体的には、本発明に係る読取装置本体の物理量測定手段は、請求項２に記載するように、景品搭載手段に搭載された特殊景品の重量を測定する秤量手段により構成することができる。
また、請求項３に記載するように、読取装置本体の物理量測定手段は、景品搭載手段に搭載された特殊景品の高さを測定する高さ測定手段により構成することもできる。
さらに、請求項４に記載するように、読取装置本体の物理量測定手段は、景品搭載手段に搭載された特殊景品の画像データを取得する画像取得手段と、取得された画像データを解析して特殊景品の高さを演算する高さ演算手段により構成することもできる。
【００１３】
このように、本発明に係る読取装置本体の物理量測定手段は、搭載手段上に重ね合わされて搭載された特殊景品の全重量を測定する手段（秤量手段）であっても良く、また、全高、すなわち、重ね合わされた特殊景品の厚みを測定する手段（高さ測定手段）であっても良い。
また、搭載手段に搭載された特殊景品の外形を撮影し、その画像データから特殊景品の高さ（厚み）を算出する手段（画像取得手段及び高さ演算手段）であっても良い。
【００１４】
このように、物理量測定手段は、重ね合わされた特殊景品の実際の数を算出，計数することができる物理量を測定できるかぎり、どのような測定手段を採用することもできる。これにより、読取装置の大きさや形状、搭載される特殊景品の数や大きさ等に応じて、最適な物理量測定手段を採用することが可能となり、汎用性に優れた特殊景品読取装置を提供することができる。
なお、物理量測定手段は、少なくともいずれか一つを備えていれば良く、複数の物理量測定手段を併設することも可能である。二以上の物理量測定手段を同時に備えることにより、より信頼性の高い特殊景品数の算出が行えるようになる。
【００１５】
さらに、本発明の特殊景品読取装置は、請求項５に記載するように、読取装置本体が、特殊景品から受信した識別情報を照合し、所定の照合結果情報を生成する照合手段と、照合手段の照合結果情報を該当する特殊景品に無線送信する送信手段と、を備え、特殊景品が、読取装置本体から送信される照合結果情報を無線受信する受信手段と、受信手段が照合結果情報を受信すると発光する発光手段と、を備えた構成としてある。
【００１６】
このような構成からなる本発明の特殊景品読取装置によれば、板状やカード形状等の外形を有する特殊景品の隅部や外周部にＬＥＤ等の表示機からなる発光手段を備え、識別情報の照合結果に応じて発光手段を発光（点灯，点滅等）させることができる。このようにすると、特殊景品が複数重ねられ、束ねられた状態であっても、特殊景品の向きに関係なく、いずれの特殊景品に異常があるかを一目で見分けることができる。
これにより、複数の特殊景品を一度に読取処理しつつ、偽造等の異常景品を直ちに発見，特定でき、より迅速な読取処理，換金処理と偽造景品の判別，発見の双方を確実に実現することができる。
【００１７】
ここで、ＬＥＤ等からなる発光手段は、特殊景品の隅部や外周部の対向する位置、好ましくは対称位置に複数配設することにより、特殊景品がいずれの向きに重ね合わされた場合でも、発光手段を揃えて位置させることができる。
これにより、特殊景品を重ね合わせる際の位置合わせが不要となり、特殊景品読取装置上への搭載作業が容易に行え、かつ、発光手段が揃って位置することで、点灯，点滅の有無が明確に識別できるようになる。
【００１８】
【発明の実施の形態】
以下、本発明に係る特殊景品読取装置の好ましい実施形態について、図面を参照しつつ説明する。
［第一実施形態］
まず、本発明に係る特殊景品読取装置の第一実施形態について、図１〜図２を参照しつつ説明する。
図１は、本発明の第一実施形態に係る特殊景品読取装置を示す斜視図で、同図ａは特殊景品を読取装置本体に搭載前の状態、同図ｂは搭載した状態である。
図２は、同じく本実施形態に係る特殊景品読取装置の全体構成を示すブロック図である。
【００１９】
これらの図に示す本実施形態の特殊景品読取装置は、パチンコ機やパチスロ機（スロットマシン）等の遊技機において、遊技機の結果払い出されるパチンコ玉やパチスロメダル等の遊技媒体と交換に遊技者に提供される特殊景品を読取処理，計数処理するための装置であり、読取対象となる特殊景品１０と、読取装置本体２０を備えている。
特殊景品１０は、既存の特殊景品と同様に、遊技媒体が遊技ホールの受付カウンタで計数処理され、計数された遊技媒体数に相当する特殊景品が遊技者に提供されるようになっている。そして、この特殊景品１０が、読取装置本体２０に搭載されて、所定の読取処理，計数処理を経て、現金への換金が行われるようになっている。
【００２０】
［特殊景品］
特殊景品１０は、図１ａ，ｂに示すように、重ね合わせ可能なカード形状をなす外形を有しており、カード形状の景品内部には、読取装置本体２０で読み取り可能な所定の識別情報が格納されるようになっている。
具体的には、特殊景品１０は、プラスチック樹脂等で形成されたカード基材の内部に、例えばＲＦＩＤやＩＣチップ等の情報記憶手段が埋め込まれており、本実施形態では、読取装置本体２０との間で非接触による情報の送受信が可能なＲＦＩＤ（Ｒａｄｉｏ  Ｆｒｅｑｕｅｎｃｙ  Ｉｄｅｎｔｉｆｉｃａｔｉｏｎ）がカード内に埋設されるようになっている。
【００２１】
ＲＦＩＤは、所定の情報を記録した半導体と小型アンテナを埋め込んだ「タグ（ＲＦタグ）」を対象物に取り付け、無線通信により所定の情報を読取装置側でピックアップすることで、当該対象物の認証等を可能とするもので、「タグ」は、読取装置側と非接触型であるために接点等の磨耗の心配もなく、また無電池のため対象物に合わせた加工や小型化・薄型化が可能となる。
本実施形態では、このＲＦＩＤの「タグ」をカード内に埋設することにより特殊景品１０を構成している。
【００２２】
より具体的には、特殊景品１０は、ＲＦＩＤチップと送受信アンテナ等がまとめて樹脂やガラスで封止されたＲＦタグがカード基材に埋め込まれて構成されており、図２に示すように、制御部１１，電源供給部１１ａ，メモリ１２，送受信部１３，アンテナ１４の各部を備えている。
制御部１１は、その上で実行されるプログラムにより、ＲＦタグ全体の制御を行う。具体的には、制御部１１は、メモリ１２から所定の識別情報を読み出し、読取装置本体２０へ送出する制御を行う。
電源供給部１１ａは、ＲＦタグの各部に電源を供給するものである。ＲＦタグは、それ自体電源を持たないが、読取装置本体２０との通信可能なエリア内に位置する場合に、読取装置本体２０から電源供給部１１ａに無線で電源供給信号が与えられ、これによりＲＦタグの各部が駆動されるようになっている。
【００２３】
メモリ１２は、例えばＥＥＰＲＯＭ（電気的に書き換え可能なＲＯＭ）からなり、ＲＦタグが埋め込まれる特殊景品に必要となる所定の識別情報を記憶している。ここで、メモリ１２に格納される識別情報としては、特殊景品１０の交換，換金処理に必要となる任意の情報とすることができ、例えば、景品のＩＤ番号（シリアル番号）や発行店舗名（ホール名），発行日時等の店舗情報や、特殊景品の買取金額等の価値情報等がある。このようにメモリ１２に格納される所定情報は、読取装置本体２０に読み取られてデータ処理されることになる。
送受信部１３は、アンテナ１４を介して読取装置本体２０との間で信号を送受信する無線送受信手段である。
【００２４】
［読取装置本体］
読取装置本体２０は、特殊景品１０に格納された所定の識別情報を読み取り可能な読取手段であり、例えば、特殊景品交換所の受付や事務所等に設置されるコンピュータ装置等で構成される。
具体的には、読取装置本体２０は、図１及び図２に示すように、制御部２１，メモリ２２，送受信部２３，景品搭載部（アンテナ板）２４ａ，秤量部２４ｂ，操作部２５，表示部２６及びスピーカ２７の各部を備えている。
【００２５】
制御部２１は、その上で実行されるプログラムにより、読取装置本体２０全体の制御を行う制御手段である。
具体的には、制御部２１は、特殊景品１０から送られる所定の識別情報が景品搭載部２４ａのアンテナ板で受信されると、受信された識別情報から景品データ数を生成する（識別情報景品数データ）。
この識別情報景品数データは、識別情報を送信した特殊景品の数を示す景品数データであり、例えば、受信された識別情報のＩＤ番号等がカウントされることにより生成できる。
【００２６】
また、制御部２１は、景品搭載部２４ａの下側にある秤量部２４ｂで搭載された特殊景品１０の総重量が測定されると、その重量データから景品数データを生成する（物理量景品数データ）。
この物理量景品数データは、景品搭載部２４ａに搭載された実際の特殊景品の数を示す景品数データであり、例えば、測定された重量データが特殊景品一枚の重量で除算されることにより生成できる。
カード型の特殊景品の一枚あたりの重量は、例えば１５ｇ程度であり、秤量部２４ｂで測定された総重量を１５ｇで割った値が、景品搭載部２４ａに実際に搭載された特殊景品の数を示すことになる。
【００２７】
そして、制御部２１は、識別情報から得られた景品数データと、物理量（重量）から得られた景品数データとを比較し、その一致不一致を検出し、比較結果に応じて所定の出力を行うようになっている。
すなわち、両景品数データの比較処理の結果、両データが一致する場合には、正規の識別情報を送信した特殊景品数と景品搭載部２４ａに搭載された特殊景品数が一致しており、正常であると判定される。
この場合には、制御部２１からの信号により、表示部２６に正常に読み取られた特殊景品１０の数や換金額等が表示されるとともに、スピーカ２７を介して正常な読取処理が行われたことを示す音声等を発することができる。
【００２８】
一方、両景品数データの比較処理の結果、両データが一致しない場合には、正規の識別情報を送信した特殊景品数と景品搭載部２４ａに搭載された特殊景品数が一致しないことになり、異常であると判定される。
異常となる場合としては、例えば、偽造や故障等により特殊景品１０から識別情報が送信されない場合や、カウントされるＩＤ番号等が含まれない偽造された識別情報が送信されるような場合等があり、一般的には、物理量から判定される景品数データが識別情報から得られた景品数データより大きくなる場合である。
この場合には、制御部２１からの信号により、表示部２６に異常が検出されたことを示す異常表示，エラー表示等が表示され、また、スピーカ２７を介して異常検出を報知するアラーム音声等を発することができる。
なお、アラーム音声等の音量は、特集景品の計数処理を行う操作者には聞こえるが、特殊景品を持ち込んだ遊技者側には聞こえない程度に設定することが好ましい。このようにすれば、異常が検出された場合に、遊技者側に知られずに外部に通報，連絡等することができるようになる。
【００２９】
メモリ２２は、特殊景品１０の読取処理，計数処理に必要となる所定のデータ，プログラムが格納され、また、各特殊景品１０から送信された識別情報が格納されるようになっている。
送受信部２３は、アンテナ板からなる景品搭載部２４ａを介して特殊景品１０との間で信号を送受信する無線送受信手段である。
【００３０】
景品搭載部２４ａは、特殊景品１０を一又は二以上積み重ねて搭載可能な景品搭載手段であり、かつ、特殊景品１０との間で信号を送受信するアンテナ板を構成している。本実施形態では、景品搭載部２４ａには、同時に５個の特殊景品１０が搭載され、各景品からの識別情報が読取可能となっている。
この景品搭載部２４ａを介して受信された各特殊景品１０からの識別情報に基づき、制御部２１の制御により、識別情報が送信された特殊景品数を示す識別情報景品数データが生成されることになる。
【００３１】
秤量部２４ｂは、景品搭載部２４ａに搭載された特殊景品１０の総重量を測定する重量測定手段であり、本発明における物理量測定手段となっている。
この秤量部２４ｂで特殊景品１０の総重量データが測定されることにより、制御部２１の制御により、総重量データが特殊景品１０の一枚分の重量で除算されて、景品搭載部２４ａに実際に搭載された特殊景品数を示す物理量景品数データが生成されることになる。
なお、景品搭載部２４ａと特殊景品１０との間で送受信される無線力は微弱であり、秤量部２４ｂにおける測定結果が影響を受けることはない。
【００３２】
操作部２５は、読取開始用のボタンやテンキー等の入力キーを備えた操作手段で、読取装置本体２０の動作に必要となる各種の操作が入力できるようになっている。
表示部２６は、液晶表示装置等からなる表示手段であり、読取装置本体２０における処理内容や処理結果、例えば、特殊景品１０の読取結果（景品枚数，換金金額）や景品の正常又は異常の検出結果や異常の場合のエラー表示等、所定の情報が文字，数字等で画面表示される。
スピーカ２７は、読取装置本体２０における処理内容や処理結果等を音声で知らせるための音声発生手段であり、読取処理の正常又は異常の検出結果や異常の場合のアラーム音声等を発するようになっている。
【００３３】
［特殊景品の読取動作］
次に、以上のような構成からなる本実施形態の特殊景品読取装置の動作について説明する。
まず、読取対象となる特殊景品１０は、予め決められた所定個数、例えば５個一束に重ね合わされた状態で、読取装置本体２０の景品搭載部２４ａに搭載される。景品搭載部２４ａの搭載された特殊景品１０は、読取装置本体２０から無線で電源が供給される。この起電力によって各特殊景品１０のＲＦタグの制御部１１は、メモリ１２に格納されている所定の識別情報、すなわち当該特殊景品１０の店舗情報や価値情報等を送出する。
【００３４】
読取装置本体２０では、各特殊景品１０から送出された識別情報を景品搭載部２４ａのアンテナ板と送受信部２３を介し受信する。そして、この特殊景品１０からの識別情報に基づき、読取装置本体２０の制御部２１は、読み取られた識別情報数をカウントし、識別情報景品数データを生成する。
同時に、景品搭載部２４ａに搭載された特殊景品１０は、下側の秤量部２４ｂで総重量が測定される。そして、測定された特殊景品１０の総重量データに基づき、制御部２１は、総重量を特殊景品１０の一枚あたりの重量で除算し、物理量景品数データを生成する。
【００３５】
そして、制御部２１では、生成された識別情報景品数データと物理量景品数データを比較照合し、両データが一致する場合には、読取対象の特殊景品中には偽造，変造等の異常がないと判定される。
従って、この場合には、読み取られた識別情報に基づき、所定の計数処理，換金処理が行われ、特殊景品の数量，換金金額等がデータ処理される。
これにより、特殊景品１０は、相当金額の現金と換金されることになる。
【００３６】
一方、比較照合された両データが一致しない場合には、読取対象の特殊景品中に所定の識別情報を送信しない偽造，変造，故障等のある景品が含まれていると判定される。
従って、この場合には、制御部２１からの信号により、表示部２６に所定のエラー表示や警告表示が表示されるとともに、スピーカ２７を介して所定のアラーム音や警告音が発せられる。
これにより、読取対象中に異常景品が含まれている場合には、その場で直ちに対応が可能となり、不正な換金行為等が行われることが未然に防止されることになる。
【００３７】
［物理量測定手段の変更例］
以上説明した本実施形態の読取装置本体２０では、本発明に係る物理量測定手段として、景品搭載部２４ａに搭載された特殊景品１０の重量を測定する秤量部２４ｂを備えていたが、本発明に係る物理量測定手段は、重量を測定する秤量手段のみに限定されるものではない。
例えば、図３又は図４に示すように、景品搭載手段２４ａに搭載された特殊景品１０の高さを測定する高さ測定部２４ｃ又は２４ｄによって物理量測定手段を構成することができる。
【００３８】
この場合には、図５に示すように、高さ測定部２４ｃ又は２４ｄで測定された特殊景品１０の高さ（厚み）を示すデータが制御部２１に送出され、その高さデータから景品数データを生成する（物理量景品数データ）。例えば、測定された高さデータが特殊景品一枚分の厚みで除算されることにより生成される。
カード型の特殊景品の一枚あたりの厚みは、例えば５ｍｍ程度であり、高さ測定部２４ｃ又は２４ｄで測定された高さ（厚み）を５ｍｍで割った値が、景品搭載部２４ａに実際に搭載された特殊景品の数を示すことになる。
【００３９】
ここで、このような高さ測定手段としては、例えば、図３に示すように、景品搭載部２４ａに搭載された特殊景品１０の上面で反射される反射光を検出することによって高さを測定することができる。この場合には、景品搭載部２４ａの上方から特殊景品１０の上面に向かってレーザ光を照射し、その反射光の変位を検出することで、搭載された特殊景品１０の高さを測定することができる。
また、図４に示すように、景品搭載手段２４ａに搭載された特殊景品１０の側面で遮られる投受光を検出することで高さを測定することもできる。この場合には、景品搭載部２４ａの搭載面と並行に投受光する投受光部を複数備え、特殊景品１０が搭載されることで投受光が遮られた位置を検出することで、特殊景品１０の高さを測定することができる。
【００４０】
さらに、物理量測定手段としては、図６に示すように、景品搭載部２４ａに搭載された特殊景品１０の画像データを取得する画像取得手段となるカメラ部２４ｅによって構成することもできる。
この場合には、図７に示すように、カメラ部２４ｅで取得された画像データを、高さ演算部２４ｆにおいて解析して特殊景品１０の高さ（厚み）を演算することができ、算出された特殊景品１０の高さデータを制御手段２１に送出することができる。
このように、本発明に係る物理量測定手段は、重ね合わされた特殊景品１０の実際の数を算出，計数することができる物理量を測定できるかぎり、どのような測定手段を採用することもできる。従って、例えば読取装置本体２０の大きさや形状、読取対象となる特殊景品１０の数や大きさ等に応じて、最適な物理量測定手段を採用することが可能となる。
【００４１】
なお、以上のような各種の物理量測定手段は、少なくともいずれか一つを備えていれば良く、複数の物理量測定手段を併設することも可能であり、二以上の物理量測定手段を同時に備えることにより、より信頼性の高い特殊景品数の算出が行えるようになる。
例えば、図８に示すように、景品搭載部２４ａに搭載された特殊景品１０の重量を測定する秤量部２４ｂと、特殊景品１０の高さ（厚み）を測定する高さ測定部２４ｃ又は２４ｄと、特殊景品１０の画像データから高さを算出するカメラ部２４ｅ及び高さ演算部２４ｆは、その全部又は一部を選択的に備えることが可能である。
また、重さや厚みを特殊景品の金額によって異ならせておき、物理量データから、特集景品１０の数量だけでなく金額のチェックも同時に行える。例えば、２０００円相当の特殊景品１０は１６ｇ、１０００円相当は１５ｇ等とすると、特殊景品１０の重量から合計の換算金額を算出することが可能となる。
【００４２】
以上説明したように、本実施形態に係る特殊景品読取装置によれば、特殊景品１０が所定の識別情報を記憶，格納することにより、この識別情報１０を読取装置本体２０側の景品搭載部２４ａのアンテナ板で無線受信して読み取ることができる。これにより、特殊景品１０を読取装置本体２０に複数同時に搭載しても、無線送信される識別情報によって一度に読取，集計処理が行えるようになる。
また、読取装置本体２０に搭載された特殊景品１０は、例えば、重量や厚み，形状等の物理量が物理量測定手段（秤量部２４ｂ，高さ測定部２４ｃ−ｄ，カメラ部２４ｅ及び高さ演算部２４ｆ）において測定されることにより、この物理量から、読取装置本体２０の景品搭載部２４ａに実際に搭載された特殊景品１０の数を算出することができる。
【００４３】
そして、特殊景品１０の識別情報に基づいて読み出された景品数と、測定された物理量（重量等）から算出された景品数を比較，照合することにより、偽造や故障等により識別情報を読み取ることができない異常景品が含まれている場合には、直ちにこれを検出することができる。
このようにして、本実施形態に係る特殊景品読取装置によれば、任意の数の特殊景品１０を重ね合わせた状態で読取装置本体２０に搭載するだけで、複数の特殊景品１０を一度に読取処理，計数処理することができ、かつ、偽造等の異常景品が含まれている場合には直ちに検出して警報等を発することができる。
これにより、迅速な計数・読取処理，換金処理と、偽造景品等の確実な判別，発見との両立が可能となる、従来には存在しない、優れた特殊景品読取装置を実現することができる。
【００４４】
［第二実施形態］
次に、本発明に係る特殊景品読取装置の第二実施形態について、図９〜図１２を参照しつつ説明する。
図９は、本発明の第二実施形態に係る特殊景品読取装置を示す斜視図で、特殊景品を読取装置本体に搭載した状態である。
図１０は、図９に示す特殊景品読取装置の全体構成を示すブロック図である。図１１は、本実施形態に係る特殊景品の発光手段の配設箇所の一例を示す図であり、（ａ）は特殊景品の平面図、（ｂ）は特殊景品が複数積み重ねられた状態の斜視図である。
また、図１２〜図１４は、本実施形態に係る特殊景品の発光手段の配設箇所の他の一例を示す図であり、（ａ）は特殊景品の平面図、（ｂ）は特殊景品が複数積み重ねられた状態の斜視図である。
【００４５】
これらの図に示すように、本実施形態の特殊景品読取装置は、図１で示した第一実施形態の変更実施形態であり、ＲＦタグを備えた特殊景品１０に、カード外部から視認可能な発光手段としてＬＥＤ１５が備えられている。
そして、本実施形態では、特殊景品１０の制御部１１が、読取装置本体２０からの所定の照合結果情報を受信すると、発光手段であるＬＥＤ１５を発光させる制御を行うようになっている。
これにより、本実施形態では、読取装置本体２０で識別情報が読み取られた特殊景品１０については、照合結果情報が送信されてＬＥＤ１５が発光することになり、識別情報が読み出せなかった異常景品については、ＬＥＤ１５が発光しないようになる。従って、読取装置本体２０で特殊景品１０の異常が検出された場合に、複数ある特殊景品１０のうち、ＬＥＤ１５が発光しない景品が異常景品であることが一目でわかることになる。
【００４６】
特殊景品１０に備えられるＬＥＤ１５は、図１０に示すように、読取装置本体２０からの所定の照合結果情報が送受信部１３で受信されると、制御部１１の制御により発光する発光手段である。
そして、ＬＥＤ１５は、特殊景品１０が複数重ねられ、束ねられた状態において、外部から発光の有無が視認可能な位置に配設されるようになっており、一目で異常の有無が視認，判別できるようになっている。
例えば、ＬＥＤ１５は、図１１に示すように、特殊景品１０のカード基材の隅部の少なくとも二箇所以上に配設することができる。また、ＬＥＤ１５は、図１２又は図１３に示すように、特殊景品１０のカード基材の外周部の少なくとも二箇所以上に配設することもできる。そして、特に、複数のＬＥＤ１５が、特殊景品１０上の対向する位置、好ましくは対称位置に配設されるように形成することが望ましい。
さらに、図１４に示すように、カード基板の外周端面の全周にわたって発光部分１５を配設することもできる。この場合、カード全周に沿ってＬＥＤを配設しても良く、また、カード内部に光散乱剤を混入して発光部としても良い。
【００４７】
このようにすると、複数の特殊景品１０がいずれの向きに重ね合わされた場合でも、各特殊景品１０のＬＥＤ１５を全て同じ位置に揃えることができる。
これにより、特殊景品１０を重ね合わせる際の位置合わせが不要となり、読取装置本体２０上への搭載作業が容易に行え、かつ、特殊景品１０をどの向きに置いてもＬＥＤ１５が揃って位置することで、発光の有無が明確に識別できるようになる。
【００４８】
なお、ＬＥＤ１５等の発光手段は、特殊景品１０の隅部や外周の縁部の表面に直接、発光体が視認可能に露出するように配設，形成することもできるが、これ以外の構成を採ることも可能である。
例えば、ＬＥＤ１５等の発光手段を特殊景品１０のカード内部に埋設し、カード表面の所定方向に貫通する透光路とプリズムを介して、発光をカード表面に導出することで、カードの隅部等に発光部を形成することもできる。
このように、発光により特殊景品１０の正常，異常を外部に視認させることができる限り、発光手段は、特殊景品１０の表面に直接又は間接に発光するものであればどのような構造であっても良い。また、ＬＥＤ以外の発光体を採用することもできる。
【００４９】
読取装置本体２０は、本実施形態では、制御部２１が、特殊景品１０から受信した所定の識別情報に基づいて、メモリ２２に格納された照合情報を読み出し、特殊景品１０を照合処理を行う。
メモリ２２には、予め、特殊景品１０からの所定の識別情報と対比，照合される所定の照合情報が格納されている。
そして、照合処理の結果、特殊景品１０が偽造，変造等のない正規景品である場合には、制御部２１は、照合結果情報を生成し、該当する正規の特殊景品１０側に送信するようになっている。
これにより、正常な特殊景品１０は、読取装置本体２０からの照合結果情報を受信することにより、制御部１１の制御でＬＥＤ１５が発光することになる。
【００５０】
一方、照合処理の結果、識別情報の全部又は一部に異常がある場合には、制御部２１では照合結果情報が生成されない。
従って、異常景品の場合には、該当する特殊景品１０側には照合結果情報が送信されず、その特殊景品１０についてはＬＥＤ１５が発光しないことになる。
これにより、複数ある特殊景品１０のうち、ＬＥＤ１５の発光の有無によっていずれが異常景品であるか否かが一目でわかることになる。
このとき、制御部２１の制御により、表示部２６に異常表示等を表示したり、スピーカ２７からアラーム音等を発することができることは第一実施形態の場合と同様である。
【００５１】
このように、本実施形態に係る特殊景品読取装置によれば、カード形状の外形を有する特殊景品１０の隅部や外周部にＬＥＤ１５を備え、識別情報の照合結果に応じてＬＥＤ１５を点灯，点滅等させることにより、特殊景品１０が複数積み重ねられた状態であっても、いずれの特殊景品に異常があるかを一目で見分けることができるようになる。
これにより、複数の特殊景品１０を一度に読取処理しつつ、偽造等の異常景品が含まれる場合に、その異常景品を直ちに発見，特定することができ、より迅速な読取処理と、より確実な異常景品の判別，発見とを両立させることが可能となり、従来には存在しない、優れた特殊景品及び特殊景品読取装置が実現できるようになる。
【００５２】
以上、本発明の特殊景品読取装置について、好ましい実施形態を示して説明したが、本発明に係る特殊景品読取装置は、上述した実施形態にのみ限定されるものではなく、本発明の範囲で種々の変更実施が可能であることは言うまでもない。
例えば、上述した実施形態では、特殊景品はカード形状の外形を有していたが、本発明に係る特殊景品はカード形状のもののみに限定されるものではない。すなわち、読取装置本体上に重ねられ束ねられた状態で搭載，収納可能な形状であれば、どのような外形であっても良く、例えば、カード形状の他、板状や箱状，棒状等であっても良い。また、特殊景品は矩形のものに限らず、多角形状や円形状，楕円形状等であっても良い。
【００５３】
また、読取装置本体についても、例えば景品搭載部の構造は、複数の特殊景品が搭載，収納可能であれば良く、上述した実施形態で示した特殊景品が平置きされる構造のみに限られない。
すなわち、景品搭載部は、複数の特殊景品が横方向に重ねられ束ねられて搭載される構造でもよく、また、複数の特殊景品が束ねられた状態で内部に挿入可能な凹部構造や中空構造，穴構造等を有していても良い。特に、特殊景品の重さを測定する秤量手段を備える場合、特殊景品は一塊りとして重さが測定できれば良く、例えば、棒状やサイコロ状等、特殊景品はどのような形状であっても良い。
【００５４】
【発明の効果】
以上説明したように、本発明の特殊景品読取装置によれば、複数の特殊景品を重ね合わせた状態で搭載部に置くだけで、各特殊景品の識別情報を読み取り、特殊景品に異常等がある場合には直ちに検出して警報等を発することができ、さらに、複数の景品が重ねられた状態のままで、正常な景品と異常景品とを一目で判別することが可能となる。
これにより、本発明では、複数の特殊景品の読取処理が迅速に行えるとともに、不正等による異常景品を容易かつ確実に発見，特定することができる。
【図面の簡単な説明】
【図１ａ】本発明の第一実施形態に係る特殊景品読取装置を示す斜視図で、特殊景品を読取装置本体に搭載する前の状態である。
【図１ｂ】本発明の第一実施形態に係る特殊景品読取装置を示す斜視図で、特殊景品を読取装置本体に搭載した状態である。
【図２】図１に示す特殊景品読取装置の全体構成を示すブロック図である。
【図３】図１に示す本発明の第一実施形態に係る特殊景品読取装置の変更例を示す斜視図で、物理量測定手段として秤量部に換えて反射式の高さ測定部を備えた場合を示している。
【図４】図１に示す本発明の第一実施形態に係る特殊景品読取装置の変更例を示す正面図で、物理量測定手段として秤量部に換えて投受光式の高さ測定部を備えた場合を示している。
【図５】図３又は図４に示す特殊景品読取装置の全体構成を示すブロック図である。
【図６】図１に示す本発明の第一実施形態に係る特殊景品読取装置の変更例を示す正面図で、物理量測定手段として秤量部に換えてカメラ部を備えた場合を示している。
【図７】図６に示す特殊景品読取装置の全体構成を示すブロック図である。
【図８】本発明の第一実施形態に係る特殊景品読取装置の変更例を示すブロック図で、物理量測定手段として秤量部，高さ測定部，カメラ部及び高さ演算部の三つの手段を備えた場合を示している。
【図９】本発明の第二実施形態に係る特殊景品読取装置を示す斜視図で、特殊景品を読取装置本体に搭載した状態である。
【図１０】図９に示す特殊景品読取装置の全体構成を示すブロック図である。
【図１１】本発明の第二実施形態に係る特殊景品の発光手段の配設箇所の一例を示す図であり、（ａ）は特殊景品の平面図、（ｂ）は特殊景品が複数積み重ねられた状態の斜視図である。
【図１２】本発明の第二実施形態に係る特殊景品の発光手段の配設箇所の他の一例を示す図であり、（ａ）は特殊景品の平面図、（ｂ）は特殊景品が複数積み重ねられた状態の斜視図である。
【図１３】本発明の第二実施形態に係る特殊景品の発光手段の配設箇所の他の一例を示す図であり、（ａ）は特殊景品の平面図、（ｂ）は特殊景品が複数積み重ねられた状態の斜視図である。
【図１４】本発明の第二実施形態に係る特殊景品の発光手段の配設箇所の他の一例を示す図であり、（ａ）は特殊景品の平面図、（ｂ）は特殊景品が複数積み重ねられた状態の斜視図である。
【符号の説明】
１０  特殊景品
１１  制御部
１２  メモリ
１３  送受信部
１４  アンテナ
１５  ＬＥＤ
２０  特殊景品読取装置
２１  制御部
２２  メモリ
２３  送受信部
２４ａ  景品搭載部（アンテナ板）
２４ｂ  秤量部
２４ｃ  高さ測定部
２４ｄ  高さ測定部
２４ｅ  カメラ部
２４ｆ  高さ演算部
２５  操作部
２６  表示部
２７  スピーカ
【図１ａ】
2005006911.tif 000003
【図１ｂ】
2005006911.tif 000004
【図２】
2005006911.tif 000005
【図３】
2005006911.tif 000006
【図４】
2005006911.tif 000007
【図５】
2005006911.tif 000008
【図６】
2005006911.tif 000009
【図７】
2005006911.tif 000010
【図８】
2005006911.tif 000011
【図９】
2005006911.tif 000012
【図１０】
2005006911.tif 000013
【図１１】
2005006911.tif 000014
【図１２】
2005006911.tif 000015
【図１３】
2005006911.tif 000016
【図１４】
2005006911.tif 000017